(57)【要約】      （修正有）【課題】カラオケチケットを支持し、歌う順番の間違い、申し込みチケットの紛失等を無くすことを意図したカラオケチケット支持装置を提供する。【解決手段】スタンドに立設した支柱２と、この支柱２の上端２ｂに横設した鍔片３ａ、３ｂを備えたローラ３と、このローラ３に垂架したベルト５と、ローラ３とベルト５との間に設けた隙間６と、この隙間６に配備されて、かつこのベルト５の端に取付けられた取付け具８と、でなり、取付け具８が、隙間６を通過することで、ベルト５の盲動防止を可能とする。チケット７、受付券等の小物を支持し、かつ紛失とか順番の間違いなく行える。【選択図】図１
0003218566.tif 000002
【実用新案登録請求の範囲】
【請求項１】
スタンドに立設した支柱と、この支柱の上端に横設した鍔片を備えたローラと、このローラに垂架したベルトと、前記ローラと前記ベルトとの間に設けた隙間と、この隙間に配備されて、かつこのベルトの端に取付けられた取付け具と、でなり、
前記取付け具が、前記隙間を通過することで、前記ベルトの盲動防止を可能とすることを特徴としたカラオケチケット支持装置。
【請求項２】
前記ローラの鍔片は、山形形態であり、前記ベルトが前記隙間に復帰可能とすることを特徴とした請求項１に記載のカラオケチケット支持装置。
【請求項３】
前記ローラの鍔片は、山形形態であり、前記ベルトが前記ローラの中心位置に復帰可能とすることを特徴とした請求項１に記載のカラオケチケット支持装置。
【請求項４】
前記支柱の上端は、鍵型形態であって、この鍵型形態に設けた前記ローラの中心位置が、この支柱の中心位置に配備されることを特徴とした請求項１に記載のカラオケチケット支持装置。
【請求項５】
前記ベルトは、上端支持であって、人手を利用して回転移動可能としたことを特徴とした請求項１に記載のカラオケチケット支持装置。
【考案の詳細な説明】
【技術分野】
【０００１】
本考案は、カラオケチケット支持装置に関し、詳細は、カラオケチケットを支持し、歌う順番の間違い、申し込みチケットの紛失等を無くすことを意図したカラオケチケット支持装置である。
【背景技術】
【０００２】
従来、この種のチケット、受付券等の小物を支持し、かつ紛失とか、順番の間違いをなくす装置として、次のような手段がある。
【０００３】
ロータリー駆動の差込み筐を備えた装置で、モータ駆動方式の考案であり、診察券を差込み、視認窓より、診察券を読み取り可能とする。順番間違いの回避と、あと何人であるかを視認できることを特徴とする（実開平３−４９５８７号公報）。しかし、この考案は、機械式であり、維持管理の問題と、各部屋に配備するには経済的、かつ場所等に配慮を要し、使用制限が考えられる。
【０００４】
また、順番表示板と、複数の副表示板とを備え、操作板で、押ボタンを押すことで、この順番表示板と、この複数の副表示板が切り替わる構造である。順番の間違いは回避できるが、いちいち、押しボタンを押す操作が要求される。従って、人の前での所作となり、気を遣うことと、引っ込み思案となり易くなり、かつ気兼ねすることが考えられる（実開平３−１１０４７７号公報）。
【特許文献１】実開平３−４９５８７号公報
【特許文献２】実開平３−１１０４７７号公報
【考案の概要】
【考案が解決しようとする課題】
【０００５】
前記文献１、２は、それぞれの目的、例えば、チケット、受付券等の小物を支持し、かつ紛失とか順番の間違いをなくす装置としては充分である。しかしながら、前述した如く、実用面での使用と、各室において、簡易な設置を図るには、更なる改良が望まれる。
【課題を解決するための手段】
【０００６】
この改良と、最も本考案が意図する、実用面での使用と、各室において、簡易な設置を図るために、請求項１−５の考案を提案する。
【考案の効果】
【０００７】
請求項１の考案は、スタンドに立設した支柱と、支柱の上端に横設した鍔片を備えたローラと、ローラに垂架したベルトと、ローラとベルトとの間に設けた隙間と、隙間に配備されて、かつベルトの端に取付けられた取付け具と、でなり、
取付け具が、隙間を通過することで、ベルトの盲動防止を可能とすることを特徴としたカラオケチケット支持装置である。
【０００８】
これによって、請求項１では、チケット、受付券等の小物を支持し、かつ紛失とか順番の間違いなく行える、カラオケチケット支持装置を提案できる。そして、この目的を達成できるカラオケチケット支持装置は、実用面での使用と、各室において、簡易な設置という役割を達成できる特徴を備える。
【０００９】
請求項２の考案は、ローラの鍔片は、山形形態であり、ベルトが隙間に復帰可能とすることを特徴としたカラオケチケット支持装置である。
【００１０】
これにより、請求項２では、請求項１の目的達成と、そのためのローラの構造を提案できる。
【００１１】
請求項３の考案では、ローラの鍔片は、山形形態であり、ベルトがローラの中心位置に復帰可能とすることを特徴としたカラオケチケット支持装置である。
【００１２】
これにより、請求項３では、請求項１の目的達成と、そのためのローラの構造であって、かつこのローラに最適な山形形態を提案できる。
【００１３】
請求項４の考案は、支柱の上端は、鍵型形態であって、鍵型形態に設けたローラの中心位置が、支柱の中心位置に配備されることを特徴としたカラオケチケット支持装置である。
【００１４】
これにより、請求項４では、請求項１の目的達成と、そのための支柱とローラの構造を提案できる。
【００１５】
請求項５の考案は、ベルトは、上端支持であって、人手を利用して回転移動可能としたことを特徴としたカラオケチケット支持装置である。
【００１６】
これにより、請求項５では、請求項１の目的達成と、そのためのベルトの構造を提案できる。
【図面の簡単な説明】
【００１７】
【図１】本考案の正面図
【図２】本考案の側面図
【図３】本考案の取付け具の一例を示した模式図
【図４】本考案において、使用済のチケットを整理するための一例である。例えば、ベースに備えた磁石とか、図示しないが、クリップを利用して行うようにした例の模式図
【考案を実施するための形態】
【００１８】
以下、本考案の好ましい一例を説明する。
【００１９】
図において、１は半截楕円形を呈するベースであり、このベース１の曲面と方形状の繋目の近辺（図３において、中心より外れた箇所）に支柱２の下端２ａを立設する。即ち、安定性と、衝撃で転倒しない箇所に立設する。支柱２は、正面視して、上端２ｂには、鍵型形態のローラ支持部２ｃを形成する。好ましい、一例では、ローラ支持部２ｃの横方向の中心が、下端２ａの立設位置となることで、前記支柱２（カラオケチケット支持装置）の安定性を保ち、衝撃で転倒しない構造とする。
【００２０】
図中３はローラであり、ローラ３の鍔片３ａ、３ｂは、山形形態であり、このローラ３に垂架（垂下）、かつ捲装されたベルト５を、ローラ３の中心位置に復帰させることを特徴とする。従って、常時、一辺側３ｃには、隙間６が形成され、ベルト５を手動で簡易に操作できる構造とする。図中３００はローラ支持部２ｃが挿入される貫通孔を示す。貫通孔３００に支柱２のローラ支持部２ｃを差し込むことで、ローラ３は、支柱２に横設される。
【００２１】
環状の無端ベルト５は、支柱２に横設されるローラ３の環状軸芯３０１に片持ち式に垂架されており、人手で、簡易かつワンタッチで回転移動できる。これにより、例えば、摩擦軽減と無音であることが特徴であり、カラオケ部屋に最適である。
【００２２】
尚、図示しないが、ローラ３には、停止機構を付設し、確実箇所での停止を図り、チケット７（受付券等の小物）の停止箇所の確保、又はベルト５の一方側（他方側も有り得る）に必要とする枚数を、取付け可能とする。
【００２３】
取付け具８は、市販のクリップとか、マグネットとかが望ましく、マグネットの例では、ベルト５に磁性体を付設する。
【００２４】
続いて、使用方法の一例を説明すると、ベルト５の下部（支柱２の下端２ａ）から、チケット７の角隅を取付け具８により、ベルト５の短手方向の端部に取付ける。次のチケット７は、ベルト５を上方に回転移動させ、前のチケット７の下にできたスペースに取付ける。この所作を介して取り付けていくことで、早い人のチケット７が上に運ばれ、支柱２の上端２ｂに至るので、最初の人が、カラオケに興じる。そして、歌い終わった段階で、チケット７を取り、必要により、選曲する。
【００２５】
前の人が、歌い終わった後は、チケット７の一枚分のスペースがベルト５に余るので、次の人は、ベルト５を手で掴み、上方に回す。この所作で、ベルト５の下方に空間が形成されるので、この空間に、チケット７を取り付けて、上方にベルト５を引き上げる。
【００２６】
その後は、前述の動作の繰り返しで使用する。
【００２７】
尚、常時、ローラ３の一辺側３ｃには、隙間６が形成される構成を採用することで、誰でも、何時でも、ベルト５は、手動で簡易に操作できるのが特徴である。また、この隙間６は、他には、ベルト５の短手方向の端部に取付けた取付け具８（クリップ）用の隙間であり、かつ端部より突出した取付け具８がローラ３を通過するスペースとなる。また、取付け具８（クリップ）の盲動防止にも役立つ処である。
【００２８】
そして、図４は、使用済のチケット７を整理するための一例である。例えば、ベース１の表面に備えた磁石１０とか、図示しないが、クリップを利用して行うことで、整理整頓と、曲名の確認とか、唱歌の確認とか、又は順番の確認等に重宝する。
【００２９】
前述した各実施例等は、本考案の好ましい一例の説明である。各実施例とか図面に限定されない。従って、考案の趣旨の範囲において構成の一部を変更する構造とか、同じ特徴と効果を達成できる構造、等は、本考案の範疇である。
【符号の説明】
【００３０】
１  ベース
２  支柱
２ａ  下端
２ｂ  上端
２ｃ  ローラ支持部
３  ローラ
３ａ  鍔片
３ｂ  鍔片
３ｃ  一辺側
３００  貫通孔
３０１  軸芯
５  ベルト
６  隙間
７  チケット
８  取付け具
１０  磁石
【図１】
0003218566.tif 000003
【図２】
0003218566.tif 000004
【図３】
0003218566.tif 000005
【図４】
0003218566.tif 000006